(57)【要約】【課題】鞘から利器工具が抜け落ちることを防止する。【解決手段】鞘１００の外側表面には、板バネからなる抜け落ち防止部材１２０が取り付けられている。抜け落ち防止部材１２０の先端には突出部１２２が形成されており、利器工具４００を鞘１００に収納すると、突出部１２２が利器工具４００の把手４２０に当接し、板バネの反発力に起因して、突出部１２２は把手４２０に対して押圧力を作用させる。このため、利器工具４００が鞘１００から抜け落ちることを防止することができる。【選択図】図１
0003134921.tif 000002
【実用新案登録請求の範囲】
【請求項１】
刃部と、前記刃部の一端に取り付けられた把手とからなる利器工具の前記刃部を収納する鞘であって、
前記鞘には前記利器工具が前記鞘から抜け落ちることを防止する抜け落ち防止部材が着脱自在に取り付けられており、
前記抜け落ち防止部材は板バネからなり、
前記抜け落ち防止部材は、前記抜け落ち防止部材を前記鞘に取り付けたときに、前記鞘を超えて延び、かつ、前記把手に向かって傾斜している傾斜部分を含む延長部分を有しており、
前記延長部分は前記利器工具が前記鞘に収納されたときに前記利器工具の前記把手に当接して前記把手に押圧力を作用するものである鞘。
【請求項２】
刃部と、前記刃部の一端に取り付けられた把手とからなる利器工具の前記刃部を収納する鞘であって、
前記鞘には前記利器工具が前記鞘から抜け落ちることを防止する抜け落ち防止部材が着脱自在に取り付けられており、
前記抜け落ち防止部材は、板バネと、前記板バネが装着される樹脂製の板バネ取り付け部材とからなり、
前記板バネが前記板バネ取り付け部材に重ねられた状態で前記抜け落ち防止部材が前記鞘に取り付けられ、
前記板バネ取り付け部材は、前記抜け落ち防止部材を前記鞘に取り付けたときに、前記鞘を超えて延びている延長部分を有しており、
前記板バネは前記板バネ取り付け部材を前記鞘の内側に向かって付勢するのに足りる長さを有しており、
前記延長部分は前記利器工具が前記鞘に収納されたときに前記利器工具の前記把手に当接して前記把手に押圧力を作用するものである鞘。
【請求項３】
刃部と、前記刃部の一端に取り付けられた把手とからなる利器工具の前記刃部を収納する鞘であって、
前記鞘には前記利器工具が前記鞘から抜け落ちることを防止する抜け落ち防止部材が着脱自在に取り付けられており、
前記抜け落ち防止部材は板バネからなり、
前記抜け落ち防止部材は、前記抜け落ち防止部材を前記鞘に取り付けたときに、前記鞘を超えて延びる延長部分を有しており、
前記延長部分には、前記鞘の内側に向かって突出する突出部が形成されており、
前記突出部は前記利器工具が前記鞘に収納されたときに前記利器工具の前記把手に当接して前記把手に押圧力を作用するものである鞘。
【請求項４】
刃部と、前記刃部の一端に取り付けられた把手とからなる利器工具の前記刃部を収納する鞘であって、
前記鞘には前記利器工具が前記鞘から抜け落ちることを防止する抜け落ち防止部材が着脱自在に取り付けられており、
前記抜け落ち防止部材は、板バネと、前記板バネが装着される樹脂製の板バネ取り付け部材とからなり、
前記板バネが前記板バネ取り付け部材に重ねられた状態で前記抜け落ち防止部材が前記鞘に取り付けられ、
前記板バネ取り付け部材は、前記抜け落ち防止部材を前記鞘に取り付けたときに、前記鞘を超えて延び、かつ、前記把手に向かって傾斜している傾斜部分を含む延長部分を有しており、
前記延長部分には、前記鞘の内側に向かって突出する突出部が形成されており、
前記板バネは前記突出部を前記鞘の内側に向かって付勢するのに足りる長さを有しており、
前記突出部は前記利器工具が前記鞘に収納されたときに前記利器工具の前記把手に当接して前記把手に押圧力を作用するものである鞘。
【請求項５】
ユーザのベルトを通すことが可能な開口部を有するベルトフック部材をさらに備え、前記ベルトフック部材は前記抜け落ち防止部材の外側において前記抜け落ち防止部材とともに前記鞘に着脱自在に取り付けられていることを特徴とする請求項１乃至４の何れか一項に記載の鞘。
【請求項６】
ユーザのベルトを通すことが可能な開口部を有するベルトフック部材をさらに備え、前記ベルトフック部材は前記抜け落ち防止部材の外側において前記抜け落ち防止部材と一体に形成されていることを特徴とする請求項１乃至４の何れか一項に記載の鞘。
【考案の詳細な説明】
【技術分野】
【０００１】
本考案は利器工具を収納する鞘に関する。
【背景技術】
【０００２】
斧、鎌、鋸その他の利器工具を鞘に収納する際に、利器工具が鞘から抜け落ちないようにするために、これまでに種々の提案がなされている。
【０００３】
例えば、実開平５−１４６７号公報に記載されている鞘は、平板状の基材と、基材の先端側に取り付けられた先受け部と、基材の基端側に取り付けられた元受け部と、から構成されている。
【０００４】
先受け部は、利器工具の刃の先端を収納し得るように、袋状の形状をなしている。
【０００５】
元受け部は弾性部材からなり、全体として「コ」の字型をなしている。元受け部は、「コ」の開口領域に利器工具を挟み込むことにより、先受け部と協働して、利器工具を基材に対して保持するように構成されている。
【考案の開示】
【考案が解決しようとする課題】
【０００６】
しかしながら、上記公報に記載されている鞘においては、元受け部が利器工具を両側から挟み込んでいるだけであり、さらに、利器工具は基材上に載置されているだけの状態であるため、わずかな衝撃力が元受け部に作用しただけでも、利器工具が元受け部から外れてしまい、利器工具が基材から落下してしまうという問題点があった。
【０００７】
本考案は以上のような問題点に鑑みてなされたものであり、大きな衝撃力が作用しても、利器工具が抜け落ちることを防止することが可能な鞘を提供することを目的とする。
【課題を解決するための手段】
【０００８】
上記の目的を達成するため、本考案は、刃部と、前記刃部の一端に取り付けられた把手とからなる利器工具の前記刃部を収納する鞘であって、前記鞘には前記利器工具が前記鞘から抜け落ちることを防止する抜け落ち防止部材が着脱自在に取り付けられており、前記抜け落ち防止部材は板バネからなり、前記抜け落ち防止部材は、前記抜け落ち防止部材を前記鞘に取り付けたときに、前記鞘を超えて延び、かつ、前記把手に向かって傾斜している傾斜部分を含む延長部分を有しており、前記延長部分は前記利器工具が前記鞘に収納されたときに前記利器工具の前記把手に当接して前記把手に押圧力を作用するものである鞘を提供する。
【０００９】
本考案は、さらに、刃部と、前記刃部の一端に取り付けられた把手とからなる利器工具の前記刃部を収納する鞘であって、前記鞘には前記利器工具が前記鞘から抜け落ちることを防止する抜け落ち防止部材が着脱自在に取り付けられており、前記抜け落ち防止部材は、板バネと、前記板バネが装着される樹脂製の板バネ取り付け部材とからなり、前記板バネが前記板バネ取り付け部材に重ねられた状態で前記抜け落ち防止部材が前記鞘に取り付けられ、前記板バネ取り付け部材は、前記抜け落ち防止部材を前記鞘に取り付けたときに、前記鞘を超えて延びている延長部分を有しており、前記板バネは前記板バネ取り付け部材を前記鞘の内側に向かって付勢するのに足りる長さを有しており、前記延長部分は前記利器工具が前記鞘に収納されたときに前記利器工具の前記把手に当接して前記把手に押圧力を作用するものである鞘を提供する。
【００１０】
本考案は、さらに、刃部と、前記刃部の一端に取り付けられた把手とからなる利器工具の前記刃部を収納する鞘であって、前記鞘には前記利器工具が前記鞘から抜け落ちることを防止する抜け落ち防止部材が着脱自在に取り付けられており、前記抜け落ち防止部材は板バネからなり、前記抜け落ち防止部材は、前記抜け落ち防止部材を前記鞘に取り付けたときに、前記鞘を超えて延びる延長部分を有しており、前記延長部分には、前記鞘の内側に向かって突出する突出部が形成されており、前記突出部は前記利器工具が前記鞘に収納されたときに前記利器工具の前記把手に当接して前記把手に押圧力を作用するものである鞘を提供する。
【００１１】
本考案は、さらに、刃部と、前記刃部の一端に取り付けられた把手とからなる利器工具の前記刃部を収納する鞘であって、前記鞘には前記利器工具が前記鞘から抜け落ちることを防止する抜け落ち防止部材が着脱自在に取り付けられており、前記抜け落ち防止部材は、板バネと、前記板バネが装着される樹脂製の板バネ取り付け部材とからなり、前記板バネが前記板バネ取り付け部材に重ねられた状態で前記抜け落ち防止部材が前記鞘に取り付けられ、前記板バネ取り付け部材は、前記抜け落ち防止部材を前記鞘に取り付けたときに、前記鞘を超えて延び、かつ、前記把手に向かって傾斜している傾斜部分を含む延長部分を有しており、前記延長部分には、前記鞘の内側に向かって突出する突出部が形成されており、前記板バネは前記突出部を前記鞘の内側に向かって付勢するのに足りる長さを有しており、前記突出部は前記利器工具が前記鞘に収納されたときに前記利器工具の前記把手に当接して前記把手に押圧力を作用するものである鞘を提供する。
【００１２】
本考案に係る鞘は、ユーザのベルトを通すことが可能な開口部を有するベルトフック部材をさらに備えることが好ましい。この場合、前記ベルトフック部材は前記抜け落ち防止部材の外側において前記抜け落ち防止部材とともに前記鞘に着脱自在に取り付けられ、あるいは、前記ベルトフック部材は前記抜け落ち防止部材の外側において前記抜け落ち防止部材と一体に形成される。
【考案の効果】
【００１３】
利器工具を鞘に収納すると、利器工具の把手によって、抜け落ち防止部材が外側に向かって屈曲する。これにより、抜け落ち防止部材は突出部において利器工具の把手と接触する。抜け落ち防止部材は板バネからなるものであるため、あるいは、板バネを備えるものであるため、外側に向かって屈曲すると、それに反発して、反発力を生み出す。抜け落ち防止部材は傾斜部分の先端において把手と接触しているため、あるいは、抜け落ち防止部材は突出部において把手と接触しているため、この反発力は押圧力として把手に作用する。このように、利器工具を鞘に収納すると、抜け落ち防止部材が利器工具の把手に対して押圧力を作用させるため、利器工具は鞘に対して強固に保持されることになり、利器工具が鞘から抜け落ちることが防止される。
【考案を実施するための最良の形態】
【００１４】
（第一の実施形態）
図１は本考案の第一の実施形態に係る鞘１００の縦断面図である。
【００１５】
鞘１００は、刃部４１０と、刃部４１０の一端に取り付けられた把手４２０とからなる利器工具４００の刃部４１０を収納する構造を有している。
【００１６】
すなわち、鞘１００は棒状の部材１０１からなり、その長さ方向に延び、刃部４１０を収容可能な細長い穴１０２が内部に形成されている構造を有している。
【００１７】
本実施形態に係る鞘１００は抜け落ち防止部材１２０を備えている。
【００１８】
図２は抜け落ち防止部材１２０の斜視図である。
【００１９】
抜け落ち防止部材１２０は板状の板バネからなり、図１に示すように、鞘１００の外側表面にネジ１３０を介して着脱自在に取り付けられている。
【００２０】
図１に示すように、抜け落ち防止部材１２０は、鞘１００に取り付けたときに、利器工具４００の把手４２０の方に向かって鞘１００を超えて延びる延長部分１２１を有している。
【００２１】
延長部分１２１には突出部１２２が形成されている。本実施形態に係る鞘１００においては、突出部１２２は、板バネの一端側を屈曲させることにより、半円形状になるように形成されている。
【００２２】
抜け落ち防止部材１２０は、突出部１２２が、鞘１００の内側に向かって突出するように、鞘１００に対して取り付けられている。
【００２３】
以上のような構造を有する本実施形態に係る鞘１００は以下のような効果を有する。
【００２４】
利器工具４００を鞘１００に収納しない状態においては、抜け落ち防止部材１２０は屈曲せず真直な状態を維持しており、従って、突出部１２２は鞘１００の外側表面よりも鞘１００の内側に突出している状態にある。
【００２５】
利器工具４００を鞘１００に収納すると、把手４２０によって、抜け落ち防止部材１２０が、図１に示すように、ネジ１３０の取り付け箇所を支点として、外側に向かって屈曲する。
【００２６】
これにより、図１に示すように、抜け落ち防止部材１２０は突出部１２２において利器工具４００の把手４２０と接触する。
【００２７】
抜け落ち防止部材１２０は板バネからなるものであるため、図１に示すように外側に向かって屈曲すると、それに反発して、反発力を生み出す。
【００２８】
抜け落ち防止部材１２０は突出部１２２において把手４２０と接触しているため、この反発力は押圧力として突出部１２２から把手４２０に作用する。
【００２９】
このように、利器工具４００を鞘１００に収納すると、抜け落ち防止部材１２０が利器工具４００の把手４２０に対して押圧力を作用させるため、利器工具４００は鞘１００に対して強固に保持されることになり、利器工具４００が鞘１００から抜け落ちることが防止される。
【００３０】
本実施形態に係る鞘１００は上記の構成に限定されるものではなく、種々の改変が可能である。
【００３１】
例えば、本実施形態に係る鞘１００においては、突出部１２２は板バネを屈曲させることにより形成されているが、板バネを屈曲させることに代えて、平板状の板バネの一端側に突出部材を、例えば、接着剤、溶接などの手段により、固着させることにより、突出部１２２を形成することも可能である。
【００３２】
また、突出部１２２の縦断面形状は半円形状には限定されない。突出部１２２が抜け落ち防止部材１２０の平面部分から突出している形状を有する限りにおいては、突出部１２２は任意の形状を取ることができる。例えば、突出部１２２の縦断面形状を三角形形状にすることも可能である。
【００３３】
また、本実施形態に係る鞘１００においては、抜け落ち防止部材１２０は鞘１００の外側表面に取り付けられているが、抜け落ち防止部材１２０を鞘１００の内側表面に取り付けることも可能である。
【００３４】
図３は本実施形態に係る鞘１００の変形例の一部縦断面図である。
【００３５】
図３に示すように、穴１０２に連続するように抜け落ち防止部材１２０の取り付け用空洞部１０３を形成し、この空洞部１０３に抜け落ち防止部材１２０を固定的に取り付けることも可能である（例えば、接着剤を用いる）。この場合の抜け落ち防止部材１２０は、図３に示すように、クランク形状に形成される。
【００３６】
（第二の実施形態）
図４は本考案の第二の実施形態に係る鞘２００の縦断面図である。
【００３７】
本実施形態に係る鞘２００は、第一の実施形態に係る鞘１００と比較して、第一の実施形態における抜け落ち防止部材１２０に代えて抜け落ち防止部材２３０を使用している点のみが異なり、他の構造は第一の実施形態に係る鞘１００と同様である。
【００３８】
本実施形態における抜け落ち防止部材２３０は、第一の実施形態における抜け落ち防止部材１２０と同様に板バネからなり、抜け落ち防止部材２３０を鞘２００に取り付けたときに、鞘２００を超えて延び、かつ、把手４２０に向かって傾斜している傾斜部分２４０を含む延長部分２４１を有している。
【００３９】
傾斜部分２４０が第一の実施形態における突出部１２２と同様の機能を発揮する。このため、本実施形態に係る鞘２００によっても、第一の実施形態に係る鞘１００と同様の効果を有し得る。
【００４０】
（第三の実施形態）
図５は本考案の第二の実施形態に係る鞘３００の縦断面図である。
【００４１】
本実施形態に係る鞘３００は、第一の実施形態に係る鞘１００と比較して、抜け落ち防止部材の構造が異なっている。具体的には、第一の実施形態に係る鞘１００における抜け落ち防止部材１２０は板バネから構成されていたが、本実施形態に係る鞘３００における抜け落ち防止部材２２０は、板バネ２２１と、板バネ２２１が装着される板バネ取り付け部材２２２とからなっている。
【００４２】
図６（Ａ）は板バネ取り付け部材２２２の平面図、図６（Ｂ）は板バネ取り付け部材２２２の側面図である。
【００４３】
板バネ取り付け部材２２２は、例えば、エラストマー樹脂からなる。
【００４４】
板バネ取り付け部材２２２は、第一の実施形態に係る鞘１００における抜け落ち防止部材１２０と同様の形状をなしている。
【００４５】
すなわち、板バネ取り付け部材２２２は、鞘２００に取り付けたときに、利器工具４００の把手４２０の方に向かって鞘２００を超えて延びる延長部分２２３を有している。延長部分２２３には突出部２２４が形成されている。突出部２２４は半円形状になるように形成されている。
【００４６】
また、突出部２２４の表面には３本のライン状の凸状体２２６が相互に平行に板バネ取り付け部材２２２の幅方向に延びている。
【００４７】
板バネ取り付け部材２２２は、突出部２２４が、鞘１００の内側に向かって突出するように、鞘１００に対して取り付けられている。
【００４８】
図５に示すように、板バネ２２１は板バネ取り付け部材２２２の裏面２２５（突出部２２４が突出している方向とは反対側の面）に重ねられた状態で、板バネ取り付け部材２２２が鞘２００の外側表面に接するように、板バネ取り付け部材２２２とともに鞘２００にネジ１３０を介して取り付けられている。
【００４９】
板バネ２２１は突出部２２４を鞘２００の内側に向かって付勢するのに足りる長さを有している。具体的には、図５に示すように、板バネ２２１は板バネ取り付け部材２２２の先端（突出部２２４が形成されている側の端部）に達する長さを有している。
【００５０】
以上のような構造を有する本実施形態に係る鞘３００によれば、第一の実施形態に係る鞘１００と同様に、利器工具４００を鞘２００に収納すると、板バネ取り付け部材２２２が板バネ２２１の弾性力に起因して利器工具４００の把手４２０に対して押圧力を作用させるため、利器工具４００は鞘２００に対して強固に保持されることになり、利器工具４００が鞘２００から抜け落ちることが防止される。
【００５１】
特に、板バネ取り付け部材２２２は樹脂製であるため、鋼材（バネ鋼）からなる第一実施形態の抜け落ち防止部材１２０と比較して、把手４２０に対する摩擦力を大きくすることができ、利器工具４００は鞘２００に対して第一の実施形態に係る鞘１００よりも強固に保持される。
【００５２】
また、板バネ取り付け部材２２２の突出部２２４には３本の凸状体２２６が形成されているため、この凸状体２２６の作用により、把手４２０に対する摩擦力を大きくすることができる。
【００５３】
本実施形態に係る鞘３００は上記の構成に限定されるものではなく、種々の改変が可能である。
【００５４】
例えば、本実施形態に係る鞘３００においては、突出部２２４は板バネ取り付け部材２２２を屈曲させて形成されているが、突出部２２４の形成方法はそれには限定されない。例えば、突出部２２４と同様の形状の突出部材を別途作製し、平板状の板バネ取り付け部材の一端側にその突出部材を固着させることにより、突出部２２４を形成することも可能である。
【００５５】
また、第一の実施形態の場合と同様に、突出部２２４の縦断面形状は半円形状には限定されない。突出部２２４が板バネ取り付け部材２２２の平面部分から突出している形状を有する限りにおいては、突出部２２４は任意の形状を取ることができる。例えば、突出部２２４の縦断面形状を三角形形状にすることも可能である。
【００５６】
また、本実施形態に係る鞘３００においては、板バネ２２１は、その一端が板バネ取り付け部材２２２の一端と揃うように板バネ取り付け部材２２２に対して取り付けられているが、板バネ２２１の長さあるいは取り付け位置はそれには限定されない。板バネ２２１が突出部２２４を鞘２００の内側に向かって付勢するのに足りる長さを有している限りにおいては、板バネ２２１の長さあるいは取り付け位置は任意である。
【００５７】
また、板バネ２２１及び板バネ取り付け部材２２２を第二の実施形態における板バネ取り付け部材２３０と同様に傾斜部分２４０を含む構造にすることも可能である。
【００５８】
（第四の実施形態）
図７は本考案の第四の実施形態に係る鞘５００の縦断面図である。
【００５９】
本実施形態に係る鞘５００は、第三の実施形態に係る鞘３００と比較して、ベルトフック部材３１０を追加的に有している。
【００６０】
図８はベルトフック部材３１０の斜視図である。
【００６１】
図８に示すように、ベルトフック部材３１０にはその幅方向に延びる開口部３１１が形成されている。この開口部３１１には、鞘３００のユーザのベルトを通すことができるようになっている。
【００６２】
ベルトフック部材３１０は、図７に示すように、板バネ取り付け部材２２２の外側において板バネ取り付け部材２２２とともに、ネジ１３０を介して、鞘３００に取り付けられている。
【００６３】
ベルトフック部材３１０は、利器工具４００を鞘３００に収納したときに、開口部３１１が把手４２０とほぼ並ぶような位置になるような長さを有している。
【００６４】
ベルトフック部材３１０は樹脂製である。
【００６５】
本実施形態に係る鞘３００によれば、ベルトフック部材３１０の開口部３１１にユーザのベルトを通すことにより、鞘３００をベルトに吊り下げて使用することが可能になる。
【００６６】
なお、本実施形態に係る鞘３００においては、第三の実施形態に係る鞘３００に対してベルトフック部材３１０を適用したが、第一の実施形態に係る鞘１００または第二の実施形態に係る鞘２００に対してベルトフック部材３１０を適用することも可能である。
【００６７】
なお、本実施形態においては、ベルトフック部材３１０を板バネ取り付け部材２２２とは別体のものとして形成したが、ベルトフック部材３１０及び板バネ取り付け部材２２２を両者一体の部品として形成することも可能である。
【図面の簡単な説明】
【００６８】
【図１】本考案の第一の実施形態に係る鞘の縦断面図である。
【図２】本考案の第一の実施形態に係る鞘における抜け落ち防止部材の斜視図である。
【図３】本考案の第一の実施形態の変形例に係る鞘の部分的な縦断面図である。
【図４】本考案の第二の実施形態に係る鞘の縦断面図である。
【図５】本考案の第三の実施形態に係る鞘の縦断面図である。
【図６】図６（Ａ）は本考案の第三の実施形態に係る鞘における板バネ取り付け部材の平面図、図６（Ｂ）は板バネ取り付け部材の側面図である。
【図７】本考案の第四の実施形態に係る鞘の縦断面図である。
【図８】本考案の第四の実施形態に係る鞘におけるベルトフック部材の斜視図である。
【符号の説明】
【００６９】
１００  本考案の第一の実施形態に係る鞘
１０１  棒状の部材
１０２  穴
１０３  空洞部
１２０  抜け落ち防止部材
１２１  延長部分
１２２  突出部
１３０  ネジ
２００  本考案の第二の実施形態に係る鞘
２３０  抜け落ち防止部材
３００  本考案の第三の実施形態に係る鞘
２２０  抜け落ち防止部材
２２１  板バネ
２２２  板バネ取り付け部材
２２３  延長部分
２２４  突出部
２２６  凸状体
５００  本考案の第四の実施形態に係る鞘
３１０  ベルトフック部材
４００  利器工具
４１０  刃部
４２０  把手
【図１】
0003134921.tif 000003
【図２】
0003134921.tif 000004
【図３】
0003134921.tif 000005
【図４】
0003134921.tif 000006
【図５】
0003134921.tif 000007
【図６】
0003134921.tif 000008
【図７】
0003134921.tif 000009
【図８】
0003134921.tif 000010